(57)【要約】 本開示に係る方法は、ユーザが端末機器におけるインテリジェントハードウェアアプリケーションプログラムのユーザインターフェースにおいて第１の確認キーをクリックしたか否かをモニタリングするステップと、前記ユーザが第１の確認キーをクリックしたとモニタリングされたとき、前記第１の確認キーに関連するインテリジェントハードウェアデバイスのインストールプロンプトページを特定するステップと、前記インストールプロンプトページを前記インテリジェントハードウェアアプリケーションプログラムへ送信するステップと、を含む。本開示の技術案によると、ユーザがインストールプロンプトページに従ってインテリジェントハードウェアデバイスをインストールすることができ、紙の製品説明書を閲読することが回避され、インテリジェントハードウェアデバイスのインストール手順を簡素化することができる。【選択図】図１Ａ
2017504140.tif 000002
【特許請求の範囲】
【請求項１】
サーバに用いられる、インテリジェントハードウェアデバイスのインストール実現方法であって、
ユーザが端末機器におけるインテリジェントハードウェアアプリケーションプログラムのユーザインターフェースにおいて第１の確認キーをクリックしたか否か、をモニタリングするステップと、
前記ユーザが前記第１の確認キーをクリックしたとモニタリングされたとき、前記第１の確認キーに関連するインテリジェントハードウェアデバイスのインストールプロンプトページを特定するステップと、
前記インストールプロンプトページを前記インテリジェントハードウェアアプリケーションプログラムへ送信するステップと、を含むことを特徴とする方法。
【請求項２】
前記第１の確認キーに関連するインテリジェントハードウェアデバイスのインストールプロンプトページを特定するステップは、
前記第１の確認キーに関連するインテリジェントハードウェアデバイスの種別情報および型番情報を特定することと、
前記種別情報および前記型番情報に基づいて、前記インテリジェントハードウェアデバイスのインストールプロンプトページを特定することと、を含むことを特徴とする請求項１に記載の方法。
【請求項３】
前記ユーザが前記ユーザインターフェースにおいて第２の確認キーをクリックしたか否か、をモニタリングするステップと、
前記ユーザが前記第２の確認キーをクリックしたとモニタリングされたとき、前記第２の確認キーに関連するインテリジェントハードウェアデバイスをインストールするための通知メッセージを前記インテリジェントハードウェアアプリケーションプログラムへ送信することで、前記ユーザが前記通知メッセージに基づいて前記第１の確認キーをクリックするステップと、をさらに含むことを特徴とする請求項１に記載の方法。
【請求項４】
インテリジェントハードウェアデバイスの種別情報または型番情報の更新があるか否かを特定するステップと、
前記インテリジェントハードウェアデバイスの種別情報または型番情報の更新があると特定されれば、前記種別情報または型番情報の更新があるインテリジェントハードウェアデバイスのインストールプロンプトページを更新するステップと、をさらに含むことを特徴とする請求項１に記載の方法。
【請求項５】
サーバに用いられる、インテリジェントハードウェアデバイスのインストール実現装置であって、
ユーザが端末機器におけるインテリジェントハードウェアアプリケーションプログラムのユーザインターフェースにおいて第１の確認キーをクリックしたか否か、をモニタリングするように配置された第１のモニタリングモジュールと、
前記ユーザが前記第１の確認キーをクリックしたと前記第１のモニタリングモジュールによりモニタリングされたとき、前記第１の確認キーに関連するインテリジェントハードウェアデバイスのインストールプロンプトページを特定するように配置された第１の特定モジュールと、
前記第１の特定モジュールにより特定された前記インストールプロンプトページを前記インテリジェントハードウェアアプリケーションプログラムへ送信するように配置された第１の送信モジュールと、を備えることを特徴とする装置。
【請求項６】
前記第１の特定モジュールは、
前記第１のモニタリングモジュールによりモニタリングされた前記第１の確認キーに関連するインテリジェントハードウェアデバイスの種別情報および型番情報を特定するように配置された第１の特定サブモジュールと、
前記第１の特定サブモジュールにより特定された前記種別情報および前記型番情報に基づいて、前記インテリジェントハードウェアデバイスのインストールプロンプトページを特定するように配置された第２の特定サブモジュールと、を備えることを特徴とする請求項５に記載の装置。
【請求項７】
前記ユーザが前記ユーザインターフェースにおいて第２の確認キーをクリックしたか否か、をモニタリングするように配置された第２のモニタリングモジュールと、
前記ユーザが前記第２の確認キーをクリックしたと前記第２のモニタリングモジュールによりモニタリングされたとき、前記第２の確認キーに関連するインテリジェントハードウェアデバイスをインストールするための通知メッセージを前記インテリジェントハードウェアアプリケーションプログラムへ送信することで、前記ユーザが前記通知メッセージに基づいて前記第１の確認キーをクリックするように配置された第２の送信モジュールと、をさらに備えることを特徴とする請求項５に記載の装置。
【請求項８】
インテリジェントハードウェアデバイスの種別情報または型番情報の更新があるか否かを特定するように配置された第２の特定モジュールと、
前記インテリジェントハードウェアデバイスの種別情報または型番情報の更新があると前記第２の特定モジュールにより特定されたとき、前記種別情報または型番情報の更新があるインテリジェントハードウェアデバイスのインストールプロンプトページを更新するように配置された更新モジュールと、をさらに備えることを特徴とする請求項５に記載の装置。
【請求項９】
インテリジェントハードウェアデバイスのインストール実現装置であって、
プロセッサと、
プロセッサの実行可能な指令を記憶するためのメモリと、を備え、
前記プロセッサは、
ユーザが端末機器におけるインテリジェントハードウェアアプリケーションプログラムのユーザインターフェースにおいて第１の確認キーをクリックしたか否かをモニタリングし、
前記ユーザが第１の確認キーをクリックしたとモニタリングされたとき、前記第１の確認キーに関連するインテリジェントハードウェアデバイスのインストールプロンプトページを特定し、
前記インストールプロンプトページを前記インテリジェントハードウェアアプリケーションプログラムへ送信するように配置されたことを特徴とする装置。
【発明の詳細な説明】
【技術分野】
【０００１】
本発明は、電子技術分野に関し、特に、インテリジェントハードウェアデバイスのインストール実現方法及び装置に関する。
【背景技術】
【０００２】
優れた電子類製品にとって、精美な外観及び確実な品質は、その質の保証であり、使用説明書が簡潔であるか否かは、さらに、ユーザが最小の学習コストの下で製品の使い方を身につけることができるか否かに関係する。関連技術では、普通のユーザが新製品を購買したとき、紙の使用説明書を閲読しないと、如何に電子類製品をインストール及び使用するかを知ることができないが、無味乾燥で理解し難い紙の説明書は、ユーザによる電子類製品のインストール時の複雑度を増加させ、ユーザ体験を損なってしまう。
【発明の概要】
【発明が解決しようとする課題】
【０００３】
関連技術に存在する課題を克服するべく、本開示の実施例は、ユーザがインテリジェントハードウェアデバイスをインストールする操作を簡素化するためのインテリジェントハードウェアデバイスのインストール実現方法及び装置を提供する。
【課題を解決するための手段】
【０００４】
本開示の実施例の第１の局面によれば、ユーザが端末機器におけるインテリジェントハードウェアアプリケーションプログラムのユーザインターフェースにおいて第１の確認キーをクリックしたか否かをモニタリングするステップと、前記ユーザが第１の確認キーをクリックしたとモニタリングされたとき、前記第１の確認キーに関連するインテリジェントハードウェアデバイスのインストールプロンプトページを特定するステップと、前記インストールプロンプトページを前記インテリジェントハードウェアアプリケーションプログラムへ送信するステップと、を含む、サーバに用いられる、インテリジェントハードウェアデバイスのインストール実現方法を提供する。
【０００５】
一実施例において、前記第１の確認キーに関連するインテリジェントハードウェアデバイスのインストールプロンプトページを特定するステップは、前記第１の確認キーに関連するインテリジェントハードウェアデバイスの種別情報および型番情報を特定することと、前記種別情報および前記型番情報に基づいて、前記インテリジェントハードウェアデバイスのインストールプロンプトページを特定することと、を含んでもよい。
【０００６】
一実施例において、前記方法は、前記ユーザが前記ユーザインターフェースにおいて第２の確認キーをクリックしたか否かをモニタリングするステップと、前記ユーザが前記第２の確認キーをクリックしたとモニタリングされたとき、前記第２の確認キーに関連するインテリジェントハードウェアデバイスをインストールするための通知メッセージを前記インテリジェントハードウェアアプリケーションプログラムへ送信することにより、前記ユーザが前記通知メッセージに基づいて前記第１の確認キーをクリックするステップと、をさらに含んでも良い。
【０００７】
一実施例において、前記方法は、インテリジェントハードウェアデバイスの種別情報または型番情報の更新があるか否かを特定するステップと、前記インテリジェントハードウェアデバイスの種別情報または型番情報の更新があると特定されれば、前記種別情報または型番情報の更新があるインテリジェントハードウェアデバイスのインストールプロンプトページを更新するステップと、をさらに含んでも良い。
【０００８】
本開示の実施例の第２の局面によれば、ユーザが端末機器におけるインテリジェントハードウェアアプリケーションプログラムのユーザインターフェースにおいて第１の確認キーをクリックしたか否かをモニタリングするように配置された第１のモニタリングモジュールと、前記ユーザが前記第１の確認キーをクリックしたと前記第１のモニタリングモジュールによりモニタリングされたとき、前記第１の確認キーに関連するインテリジェントハードウェアデバイスのインストールプロンプトページを特定するように配置された第１の特定モジュールと、第１の特定モジュールにより特定された前記インストールプロンプトページを前記インテリジェントハードウェアアプリケーションプログラムへ送信するように配置された第１の送信モジュールと、を備える、サーバに用いられる、インテリジェントハードウェアデバイスのインストール実現装置を提供する。
【０００９】
一実施例において、前記第１の特定モジュールは、前記第１のモニタリングモジュールによりモニタリングされた前記第１の確認キーに関連するインテリジェントハードウェアデバイスの種別情報および型番情報を特定するように配置された第１の特定サブモジュールと、第１の特定サブモジュールにより特定された前記種別情報および前記型番情報に基づいて、前記インテリジェントハードウェアデバイスのインストールプロンプトページを特定するように配置された第２の特定サブモジュールとを備えても良い。
【００１０】
一実施例において、前記装置は、前記ユーザが前記ユーザインターフェースにおいて第２の確認キーをクリックしたか否かをモニタリングするように配置された第２のモニタリングモジュールと、前記ユーザが前記第２の確認キーをクリックしたと前記第２のモニタリングモジュールによりモニタリングされたとき、前記第２の確認キーに関連するインテリジェントハードウェアデバイスをインストールするための通知メッセージを前記インテリジェントハードウェアアプリケーションプログラムへ送信することにより、前記ユーザが前記通知メッセージに基づいて前記第１の確認キーをクリックするように配置された第２の送信モジュールと、をさらに備えても良い。
【００１１】
一実施例において、前記装置は、インテリジェントハードウェアデバイスの種別情報または型番情報の更新があるか否かを特定するように配置された第２の特定モジュールと、前記インテリジェントハードウェアデバイスの種別情報または型番情報の更新があると前記第２の特定モジュールにより特定されたとき、前記種別情報または型番情報の更新があるインテリジェントハードウェアデバイスのインストールプロンプトページを更新するように配置された更新モジュールと、をさらに備えても良い。
【００１２】
本開示の実施例の第３の局面によれば、プロセッサと、プロセッサが実行可能な指令を記憶するためのメモリとを備える装置であって、前記プロセッサは、ユーザが端末機器におけるインテリジェントハードウェアアプリケーションプログラムのユーザインターフェースにおいて第１の確認キーをクリックしたか否かをモニタリングし、前記ユーザが第１の確認キーをクリックしたとモニタリングされたとき、前記第１の確認キーに関連するインテリジェントハードウェアデバイスのインストールプロンプトページを特定し、前記インストールプロンプトページを前記インテリジェントハードウェアアプリケーションプログラムへ送信するように配置された、インテリジェントハードウェアデバイスのインストール実現装置を提供する。
【発明の効果】
【００１３】
本開示の実施例で提供される技術案は、下記の格別な効果を含むことができる。ユーザが第１の確認キーをクリックしたとモニタリングされたとき、第１の確認キーに関連するインテリジェントハードウェアデバイスのインストールプロンプトページを特定することで、ユーザがインストールプロンプトページに従ってインテリジェントハードウェアデバイスをインストールすることができ、紙の製品説明書を閲読することが回避されたため、インテリジェントハードウェアデバイスのインストール手順を簡素化し、ユーザによるインテリジェントハードウェアデバイスのインストール時の体験を向上させる。
【００１４】
上述の一般的な記述及び後述の具体的な記述は、単に例示的及び解釈的なものであり、本発明を制限することができないと理解されるべきである。
【図面の簡単な説明】
【００１５】
ここでの図面は、明細書と合わせて本明細書の一部を構成し、本発明に適する実施例を示し、かつ、明細書と一緒に本発明の仕組みを解釈するために用いられる。
【図１Ａ】実施例に示すインテリジェントハードウェアデバイスのインストール実現方法によるフローチャートである。
【図１Ｂ】実施例に示すインテリジェントハードウェアアプリケーションプログラムにおけるユーザインターフェースによる模式図である。
【図２Ａ】実施例一に示すインテリジェントハードウェアデバイスのインストール実現方法によるフローチャートである。
【図２Ｂ】実施例一に示すインテリジェントハードウェアアプリケーションプログラムにおけるユーザインターフェースによる模式図である。
【図２Ｃ】実施例一に示すインストールプロンプトページを特定するフローチャートである。
【図３】実施例二に示すインテリジェントハードウェアデバイスのインストール実現方法によるフローチャートである。
【図４】実施例に示すインテリジェントハードウェアデバイスのインストール実現装置のブロック図である。
【図５】実施例に示す別のインテリジェントハードウェアデバイスのインストール実現装置のブロック図である。
【図６】実施例に示すインテリジェントハードウェアデバイスに適用されるインストール実現装置のブロック図である。
【発明を実施するための形態】
【００１６】
次に、実施例を詳細に説明し、例示が図に示されている。以下の記述が図に係る場合、別途にて示さない限り、異なる図面における同じ数字は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置及び方法の例に過ぎない。
【００１７】
本開示の実施例に記載のインテリジェントハードウェアデバイスは、無線または無線方式の通信インタフェースを介して端末機器との通信を実現することができる。インテリジェントハードウェアデバイスは、例えば、インテリジェントコンセント、インテリジェントカメラ、インテリジェントライト、インテリジェント空気清浄器、インテリジェント照明、インテリジェントコーヒー炉、コンピュータ機器、セキュリティーシステム、ビデオ及び音響システム、インテリジェント給湯器、インテリジェントエアコンなどであってもよい。
【００１８】
ユーザは、端末機器においてインテリジェントハードウェアアプリケーションプログラムを運行することができ、当該インテリジェントハードウェアアプリケーションプログラムには、ユーザがインテリジェントハードウェアデバイスに対してルックアップ、管理、制御などの操作を行うユーザインターフェースが含まれる。オプションとして、インテリジェントハードウェアアプリケーションプログラムには、ユーザがインテリジェントハードウェアデバイスを閲覧、お気にいり、または購買する購買インターフェースが含まれても良い。オプションとして、ユーザがインテリジェントハードウェアデバイスに対してルックアップ、管理、制御などの操作を行うユーザインターフェースには、インテリジェントハードウェアデバイスリストが含まれてもよい。インテリジェントハードウェアデバイスリストは、ユーザが操作可能な、または、ユーザが所有するインテリジェントハードウェアデバイスの情報を記録する。例えば、若しユーザが一台のインテリジェント空気清浄器を管理し、または、ユーザが一台のインテリジェント空気清浄器を所有すれば、当該インテリジェント空気清浄機器は、インテリジェントハードウェアデバイスリストに出現することができる。また、インテリジェントハードウェアデバイスリストには、ユーザ現在のインテリジェントハードウェアデバイスの運行状態をさらに表示することができる。
【００１９】
図１Ａは、実施例に示すインテリジェントハードウェアデバイスのインストール実現方法によるフローチャートであり、当該インテリジェントハードウェアデバイスのインストール実現方法は、サーバに用いられることができ、図１Ａに示すように、当該インテリジェントハードウェアデバイスのインストール実現方法は、以下のステップＳ１０１〜Ｓ１０３を含む。
【００２０】
ステップＳ１０１では、ユーザが端末機器のインテリジェントハードウェアアプリケーションプログラムのユーザインターフェースを介して第１の確認キーをクリックしたか否かをモニタリングする。
【００２１】
一実施例においては、図１Ｂを参照すると、ユーザがインテリジェントハードウェアアプリケーションプログラム１０の購買インターフェースを介してインテリジェントハードウェアデバイス（例えば、小蟻カメラ）を成功に購買したとき、ユーザはインテリジェントハードウェアアプリケーションプログラムのインテリジェントハードウェアデバイスリスト１１において「接続開始」の第１の確認キー１２をクリックすることができる。
【００２２】
ステップＳ１０２では、ユーザが第１の確認キーをクリックしたとモニタリングされたとき、第１の確認キーに関連するインテリジェントハードウェアデバイスのインストールプロンプトページを特定する。
【００２３】
一実施例においては、ユーザがインテリジェントハードウェアアプリケーションプログラム１０の購買インターフェースを介して異なる種別及び同一種別の中の異なる型番のインテリジェントハードウェアデバイスを購買することができるし、異なる種別及び異なる型番のインテリジェントハードウェアデバイスのインストールプログラムも異なるため、ユーザにより第１の確認キー１２を介して確認されたインテリジェントハードウェアデバイスのインストールプロンプトページを特定する必要があり、これによって、インストールプロンプトページを、ユーザのインストール必要なインテリジェントハードウェアデバイスと合致することができる。一実施例においては、サーバは、ユーザの身分識別（ＩＤ）により、インテリジェントハードウェアアプリケーションプログラム１０におけるインテリジェントハードウェアデバイスリスト１１に表示されたインテリジェントハードウェアデバイスを特定し、かつ、インテリジェントハードウェアデバイスリスト１１における各インテリジェントハードウェアデバイスをモニタすることができ、及び、インストール必要なインテリジェントハードウェアデバイスの種別及び型番情報を特定することができるが、別の実施例においては、サーバは、さらに、第１の確認キー１２が有するインテリジェントハードウェアデバイスの種別及び型番などの情報により、インストール必要なインテリジェントハードウェアデバイスの種別及び型番情報を特定することができる。
【００２４】
ステップＳ１０３では、インストールプロンプトページをインテリジェントハードウェアアプリケーションプログラムへ送信する。
【００２５】
一実施例においては、例えば、ユーザが第１の確認キー１２をクリックしたとき、第１の確認キー１２が「小蟻カメラ」に関連するため、サーバは第１の確認キー１２をモニタリングしたとき、「小蟻カメラ」のインストールプロンプトページをインテリジェントハードウェアアプリケーションプログラムに送信する必要があり、インテリジェントハードウェアアプリケーションプログラム１０はインストールプロンプトページを表示し、サーバは、さらに、ユーザが「小蟻カメラ」をインストールするプロセスに従って、インストールプロンプトページの表示進度を制御することができる。
【００２６】
本実施例においては、第１の確認キーをモニタリングしたとき、第１の確認キーに関連するインテリジェントハードウェアデバイスのインストールプロンプトページを特定し、これによって、ユーザがインストールプロンプトページに従ってインテリジェントハードウェアデバイスをインストールすることができ、紙の製品説明書を閲読することが回避されるため、インテリジェントハードウェアデバイスのインストール手順を簡素化し、ユーザによるインテリジェントハードウェアデバイスのインストール時の体験を向上させる。
【００２７】
一実施例においては、ステップＳ１０２は、第１の確認キーに関連するインテリジェントハードウェアデバイスの種別情報および型番情報を特定することと、種別情報および型番情報に基づいて、インテリジェントハードウェアデバイスのインストールプロンプトページを特定することと、を含んでも良い。
【００２８】
一実施例においては、インテリジェントハードウェアデバイスのインストール実現方法は、ユーザがユーザインターフェースにおいて第２の確認キーをクリックしたか否かをモニタリングすることと、ユーザが第２の確認キーをクリックしたとモニタリングされたとき、前記第２の確認キーに関連するインテリジェントハードウェアデバイスをインストールするための通知メッセージをインテリジェントハードウェアアプリケーションプログラムへ送信することにより、ユーザが通知メッセージに基づいて第１の確認キーをクリックすることと、をさらに含んでも良い。
【００２９】
一実施例においては、インテリジェントハードウェアデバイスのインストール実現方法は、インテリジェントハードウェアデバイスの種別情報または型番情報の更新があるか否かを特定することと、インテリジェントハードウェアデバイスの種別情報または型番情報の更新があると特定されれば、種別情報または型番情報の更新があるインテリジェントハードウェアデバイスのインストールプロンプトページを更新することと、をさらに含んでも良い。
【００３０】
具体的に如何にインテリジェントハードウェアデバイスをインストールプロンプトするかについては、後続の実施例を参照してください。
【００３１】
これまでのところ、本開示の実施例で提供される前記方法は、ユーザがインストールプロンプトページに従ってインテリジェントハードウェアデバイスをインストールすることができ、紙の製品説明書を閲読することが回避されたため、インテリジェントハードウェアデバイスのインストール手順を簡素化し、ユーザがインテリジェントハードウェアデバイスをインストールする時の体験を向上させる。
【００３２】
以下、具体的な実施例により、本開示の実施例で提供される技術案を説明する。
【００３３】
図２Ａは、一例示的実施例一に示すインテリジェントハードウェアデバイスのインストール実現方法によるフローチャートである。本実施例は本開示の実施例で提供される前記方法により、図１Ｂ及び図２Ｂを組み合わせて、ユーザがインテリジェントハードウェアアプリケーションプログラムの購買ページを介してインテリジェントハードウェアデバイスを購買した後で、インテリジェントハードウェアデバイスをインストールする必要がことを例として例示的説明を行っており、図２Ａに示すように、下記のステップを含む。
【００３４】
ステップＳ２０１では、ユーザが端末機器におけるインテリジェントハードウェアアプリケーションプログラムのユーザインターフェースにおいて第２の確認キーをクリックしたか否かをモニタリングする。
【００３５】
一実施例においては、図２Ｂを参照すると、ユーザがインテリジェントハードウェアアプリケーションプログラム１０の購買インターフェースを介して「小蟻カメラ」を購買した後、ユーザがそれを受領してから第２の確認キー２１をクリックし、その後、受領確認を行う。
【００３６】
ステップＳ２０２では、第２の確認キーをモニタリングしたとき、第２の確認キーに関連するインテリジェントハードウェアデバイスをインストールするための通知メッセージをインテリジェントハードウェアアプリケーションプログラムへ送信する。
【００３７】
一実施例においては、図１Ｂを参照すると、ユーザが第２の確認キー２１をクリックした後、サーバがインテリジェントハードウェアアプリケーションプログラム１０に対して送信した通知メッセージは、第１の確認キー１２に表示することができ、例えば、第１の確認キー１２には「接続開始」が表示されて、ユーザがインテリジェントハードウェアデバイスをインストールかつ使用することができるようにプロンプトする。
【００３８】
ステップＳ２０３では、ユーザが当該通知メッセージに基づいて端末機器におけるインテリジェントハードウェアアプリケーションプログラムのユーザインターフェースにおいて第１の確認キーをクリックしたか否かをモニタリングする。
【００３９】
ステップＳ２０４では、ユーザが第１の確認キーをクリックしたとモニタリングされたとき、第１の確認キーに関連するインテリジェントハードウェアデバイスのインストールプロンプトページを特定する。
【００４０】
ステップＳ２０５では、インテリジェントハードウェアアプリケーションプログラムに対してインストールプロンプトページを送信する。
【００４１】
ステップＳ２０３乃至ステップＳ２０５の記述は、前記ステップＳ１０１乃至ステップＳ１０３の記述を参照することができ、ここでは再び述べない。
【００４２】
本実施例においては、ユーザが第２の確認キーをクリックしたとモニタリングされたとき、インテリジェントハードウェアアプリケーションプログラムに対して通知メッセージを送信し、これによって、ユーザが当該インテリジェントハードウェアデバイスをインストールできることを知ることができ、ユーザが第１の確認キーをクリックしたとモニタリングされたとき、第１の確認キーに関連するインテリジェントハードウェアデバイスのインストールプロンプトページを特定し、これによって、ユーザがインストールプロンプトページに従ってインテリジェントハードウェアデバイスをインストールすることができ、紙の製品説明書を閲読することが回避されたため、インテリジェントハードウェアデバイスのインストール手順を簡素化し、ユーザによるインテリジェントハードウェアデバイスのインストール時の体験を向上させる。
【００４３】
図２Ｃは、一例示的実施例に示すインストールプロンプトページを特定するフローチャートであり、図２Ｃに示すように、前記ステップ２０４は、下記のステップによってインストールプロンプトページを特定することができる。
【００４４】
ステップＳ２１１では、第１の確認キーに関連するインテリジェントハードウェアデバイスの種別情報および型番情報を特定する。
【００４５】
ステップＳ２１２では、種別情報および型番情報に基づいてインテリジェントハードウェアデバイスのインストールプロンプトページを特定する。
【００４６】
インテリジェントハードウェアアプリケーションプログラムの購買インターフェースは、ユーザに対して異なる種別及び同一種別の異なる型番のインテリジェント・ハードウェア商品を提供できるため、ユーザはそのうちの１つのインテリジェントハードウェア商品を購買した後、当該インテリジェントハードウェアデバイスをインストールする必要があるとき、第１の確認キーに関連するインテリジェントハードウェアデバイスの種別情報および型番情報を取得する必要がある。例えば、ユーザが「小蟻カメラ」を購買しており、ユーザが第１の確認キーをクリックしたとき、サーバは「小蟻カメラ」とマッチするインストールプロンプトページを特定する必要があり、すなわち、サーバは、インストール必要なインテリジェントハードウェアデバイスがインテリジェントカメラであることを特定する必要があり、かつ、当該インテリジェントカメラがどの型番のインテリジェントカメラであるかを特定する必要があり、これによって、ユーザが当該インテリジェントカメラのインストールプロンプトページに従ってインテリジェントカメラのインストール手順を完成することができる。
【００４７】
本実施例においては、インテリジェントハードウェアデバイスとマッチするインストールプロンプトページを特定することにより、ユーザがインテリジェントハードウェアデバイスを順調にインストールすることができ、ユーザが無味乾燥な紙の明細書の閲読手順を回避し、インテリジェントハードウェアデバイスのインストールプロセスを簡素化し、ユーザがインテリジェントハードウェアデバイスをインストールする体験を向上させる。
【００４８】
図３は、一例示的実施例に示すインテリジェントハードウェアデバイスのインストール実現方法によるフローチャートである。本実施例は本開示の実施例で提供される前記方法により、如何にインストールプロンプトページを更新するかを例として例示的説明を行っており、図３に示すように、下記のステップを含む。
【００４９】
ステップＳ３０１では、インテリジェントハードウェアデバイスの種別情報または型番情報の更新があるか否かを特定する。
【００５０】
ステップＳ３０２では、インテリジェントハードウェアデバイスの種別情報または型番情報の更新があると特定されたとき、種別情報または型番情報の更新があるインテリジェントハードウェアデバイスのインストールプロンプトページを更新する。
【００５１】
一実施例においては、インテリジェントハードウェアアプリケーションプログラムの購買ページがユーザに対して提供するインテリジェントハードウェア商品の種別の増加及び型番の継続な更新により、インテリジェントハードウェアデバイスが新しいインテリジェントハードウェアデバイスを有する場合、種別または型番に基づいてインストールプロンプトページを更新する必要があり、これによって、ユーザは最新のインテリジェントハードウェアデバイスを購買したとき、依然としてインストールプロンプトページによりインテリジェントハードウェアデバイスのインストール手順を完成することができ、ユーザが紙の製品説明書を閲読することが回避され、ユーザがインテリジェントハードウェアデバイスをインストールする体験を大幅に向上させる。
【００５２】
図４は、一例示的実施例に示すインテリジェントハードウェアデバイスのインストール実現装置のブロック図であり、サーバに用いられることができる。図４に示すように、インテリジェントハードウェアデバイスのインストール実現装置は、ユーザが端末機器におけるインテリジェントハードウェアアプリケーションプログラムのユーザインターフェースを介して第１の確認キーをクリックしたか否かをモニタリングするように配置された第１のモニタリングモジュール４１と、ユーザが第１の確認キーをクリックしたと第１のモニタリングモジュール４１によりモニタリングされたとき、第１の確認キーに関連するインテリジェントハードウェアデバイスのインストールプロンプトページを特定するように配置された第１の特定モジュール４２と、第１の特定モジュール４２により特定されたインストールプロンプトページをインテリジェントハードウェアアプリケーションプログラムへ送信するように配置された第１の送信モジュール４３と、を備える。
【００５３】
図５を参照すると、第１の特定モジュール４２は、第１のモニタリングモジュール４１によりモニタリングされた第１の確認キーに関連するインテリジェントハードウェアデバイスの種別情報および型番情報を特定するように配置された第１の特定サブモジュール４２１と、第１の特定サブモジュール４２１により特定された種別情報および型番情報に基づいて、インテリジェントハードウェアデバイスのインストールプロンプトページを特定する第２の特定サブモジュール４２２と、を備えてもよい。
【００５４】
一実施例においては、装置は、ユーザがユーザインターフェースにおいて第２の確認キーをクリックしたか否かをモニタリングするように配置された第２のモニタリングモジュール４４と、ユーザが第２の確認キーをクリックしたと第２のモニタリングモジュール４４によりモニタリングされたとき、第２の確認キーに関連するインテリジェントハードウェアデバイスをインストールするための通知メッセージをインテリジェントハードウェアアプリケーションプログラムへ送信することにより、ユーザが通知メッセージに基づいて第１の確認キーをクリックすることで、第1のモニタリングモジュール４１が第1の確認キーをモニタリングするように配置された第２の送信モジュール４５と、をさらに備えても良い。
【００５５】
一実施例においては、装置は、インテリジェントハードウェアデバイスの種別情報または型番情報の更新があるか否かを特定するように配置された第２の特定モジュール４６と、インテリジェントハードウェアデバイスの種別情報または型番情報の更新があると第２の特定モジュール４６により特定されたとき、種別情報または型番情報の更新があるインテリジェントハードウェアデバイスのインストールプロンプトページを更新するように配置された更新モジュール４７と、をさらに備えても良く、これによって、第１の特定モジュール４２は、第１のモニタリングモジュール４１によりモニタリングされた第１の確認キーに関連するインテリジェントハードウェアデバイスのインストールプロンプトページを特定する。
【００５６】
前記実施例における装置について、その中の各モジュールが操作を実行する具体的な形態は、当該方法に関する実施例において詳細に記述されており、ここでは、詳細に説明しない。
【００５７】
図６は、実施例に示すインテリジェントハードウェアデバイスに適用されるインストール実現装置のブロック図である。例えば、装置６００は、サーバとして提供されてもよい。図６を参照すると、装置６００は、１つまたは複数のプロセッサを含む処理ユニット６２２と、処理ユニット６２２の実行可能な指令、例えば、アプリケーションプログラムを記憶するための、メモリ６３２に代表されるメモリリソースとを備える。メモリ６３２に記憶されたアプリケーションは、１つまたは１つ以上のそれぞれが１組の指令に対応するモジュールを含んでも良い。また、処理ユニット６２２は、上記インテリジェントハードウェアデバイスのインストール実現方法を実行するように、指令を実行するように配置される。
【００５８】
装置６００は、装置６００の電源管理を実行するように配置された電源ユニット６２６と、装置６００をネットワークに接続する１つの有線または無線ネットワークインターフェース６５０と、１つの出入力（Ｉ/Ｏ）インターフェース６５８と、をさらに含んでも良い。装置６００は、メモリ６３２に記憶されているオペレーティングシステム、例えば、Windows（登録商標） Server TM，Mac OS X TM，Unix（登録商標） TM, Linux（登録商標） TM，FreeBSD TMまたは類似するものに基づいて操作することができる。
【００５９】
当業者は明細書を考慮し、ここに開示された開示を実践した後、本開示の他の実施案を容易に想到する。本願は、本開示の如何なる変形、用途または適応的変化をカバーすることを趣旨とし、これら変形、用途または適応的変化は、本開示の一般的な仕組みに従い、かつ、本開示に開示されていない当分野における公知常識または慣用技術手段を含む。明細書及び実施例は単なる例示的ものと見なされており、本開示の本当の範囲及び思想は添付の特許請求の範囲によって与えられている。
【００６０】
本開示は、上述に記述されて図面に示されている精確な構造に限定されるものでなく、本発明の要旨を逸脱しない範囲で、各種の補正や変更が可能である。本開示の範囲は、添付の特許請求の範囲のみによって限定される。
【００６１】
本発明は、出願番号が２０１４１０８３５７４５.Ｘ、出願日が２０１４年１２月２６日である中国特許出願を基に提出するものであり、当該中国特許出願の優先権を主張し、当該中国特許出願の全ての内容は、参照のため本願に援用される。
【図１Ａ】
2017504140.tif 000003
【図１Ｂ】
2017504140.tif 000004
【図２Ａ】
2017504140.tif 000005
【図２Ｂ】
2017504140.tif 000006
【図２Ｃ】
2017504140.tif 000007
【図３】
2017504140.tif 000008
【図４】
2017504140.tif 000009
【図５】
2017504140.tif 000010
【図６】
2017504140.tif 000011
【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
サーバに用いられる、インテリジェントハードウェアデバイスのインストール実現方法であって、
ユーザが端末機器におけるインテリジェントハードウェアアプリケーションプログラムのユーザインターフェースにおいて第１の確認キーをクリックしたか否か、をモニタリングするステップと、
前記ユーザが前記第１の確認キーをクリックしたとモニタリングされたとき、前記第１の確認キーに関連するインテリジェントハードウェアデバイスのインストールプロンプトページを特定するステップと、
前記インストールプロンプトページを前記インテリジェントハードウェアアプリケーションプログラムへ送信するステップと、を含むことを特徴とする方法。
【請求項２】
前記第１の確認キーに関連するインテリジェントハードウェアデバイスのインストールプロンプトページを特定するステップは、
前記第１の確認キーに関連するインテリジェントハードウェアデバイスの種別情報および型番情報を特定することと、
前記種別情報および前記型番情報に基づいて、前記インテリジェントハードウェアデバイスのインストールプロンプトページを特定することと、を含むことを特徴とする請求項１に記載の方法。
【請求項３】
前記ユーザが前記ユーザインターフェースにおいて第２の確認キーをクリックしたか否か、をモニタリングするステップと、
前記ユーザが前記第２の確認キーをクリックしたとモニタリングされたとき、前記第２の確認キーに関連するインテリジェントハードウェアデバイスをインストールするための通知メッセージを前記インテリジェントハードウェアアプリケーションプログラムへ送信することで、前記ユーザが前記通知メッセージに基づいて前記第１の確認キーをクリックするステップと、をさらに含むことを特徴とする請求項１に記載の方法。
【請求項４】
インテリジェントハードウェアデバイスの種別情報または型番情報の更新があるか否かを特定するステップと、
前記インテリジェントハードウェアデバイスの種別情報または型番情報の更新があると特定されれば、前記種別情報または型番情報の更新があるインテリジェントハードウェアデバイスのインストールプロンプトページを更新するステップと、をさらに含むことを特徴とする請求項１に記載の方法。
【請求項５】
サーバに用いられる、インテリジェントハードウェアデバイスのインストール実現装置であって、
ユーザが端末機器におけるインテリジェントハードウェアアプリケーションプログラムのユーザインターフェースにおいて第１の確認キーをクリックしたか否か、をモニタリングするように配置された第１のモニタリングモジュールと、
前記ユーザが前記第１の確認キーをクリックしたと前記第１のモニタリングモジュールによりモニタリングされたとき、前記第１の確認キーに関連するインテリジェントハードウェアデバイスのインストールプロンプトページを特定するように配置された第１の特定モジュールと、
前記第１の特定モジュールにより特定された前記インストールプロンプトページを前記インテリジェントハードウェアアプリケーションプログラムへ送信するように配置された第１の送信モジュールと、を備えることを特徴とする装置。
【請求項６】
前記第１の特定モジュールは、
前記第１のモニタリングモジュールによりモニタリングされた前記第１の確認キーに関連するインテリジェントハードウェアデバイスの種別情報および型番情報を特定するように配置された第１の特定サブモジュールと、
前記第１の特定サブモジュールにより特定された前記種別情報および前記型番情報に基づいて、前記インテリジェントハードウェアデバイスのインストールプロンプトページを特定するように配置された第２の特定サブモジュールと、を備えることを特徴とする請求項５に記載の装置。
【請求項７】
前記ユーザが前記ユーザインターフェースにおいて第２の確認キーをクリックしたか否か、をモニタリングするように配置された第２のモニタリングモジュールと、
前記ユーザが前記第２の確認キーをクリックしたと前記第２のモニタリングモジュールによりモニタリングされたとき、前記第２の確認キーに関連するインテリジェントハードウェアデバイスをインストールするための通知メッセージを前記インテリジェントハードウェアアプリケーションプログラムへ送信することで、前記ユーザが前記通知メッセージに基づいて前記第１の確認キーをクリックするように配置された第２の送信モジュールと、をさらに備えることを特徴とする請求項５に記載の装置。
【請求項８】
インテリジェントハードウェアデバイスの種別情報または型番情報の更新があるか否かを特定するように配置された第２の特定モジュールと、
前記インテリジェントハードウェアデバイスの種別情報または型番情報の更新があると前記第２の特定モジュールにより特定されたとき、前記種別情報または型番情報の更新があるインテリジェントハードウェアデバイスのインストールプロンプトページを更新するように配置された更新モジュールと、をさらに備えることを特徴とする請求項５に記載の装置。
【請求項９】
インテリジェントハードウェアデバイスのインストール実現装置であって、
プロセッサと、
プロセッサの実行可能な指令を記憶するためのメモリと、を備え、
前記プロセッサは、
ユーザが端末機器におけるインテリジェントハードウェアアプリケーションプログラムのユーザインターフェースにおいて第１の確認キーをクリックしたか否かをモニタリングし、
前記ユーザが第１の確認キーをクリックしたとモニタリングされたとき、前記第１の確認キーに関連するインテリジェントハードウェアデバイスのインストールプロンプトページを特定し、
前記インストールプロンプトページを前記インテリジェントハードウェアアプリケーションプログラムへ送信するように配置されたことを特徴とする装置。
【請求項１０】
プロセッサに実行されることにより、請求項１から請求項４のいずれか１項に記載の方法を実現することを特徴とするプログラム。
【請求項１１】
請求項１０に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、電子技術分野に関し、特に、インテリジェントハードウェアデバイスのインストール実現方法、装置、プログラム及び記録媒体に関する。
【背景技術】
【０００２】
優れた電子類製品にとって、精美な外観及び確実な品質は、その質の保証であり、使用説明書が簡潔であるか否かは、さらに、ユーザが最小の学習コストの下で製品の使い方を身につけることができるか否かに関係する。関連技術では、普通のユーザが新製品を購買したとき、紙の使用説明書を閲読しないと、如何に電子類製品をインストール及び使用するかを知ることができないが、無味乾燥で理解し難い紙の説明書は、ユーザによる電子類製品のインストール時の複雑度を増加させ、ユーザ体験を損なってしまう。
【発明の概要】
【発明が解決しようとする課題】
【０００３】
関連技術に存在する課題を克服するべく、本開示の実施例は、ユーザがインテリジェントハードウェアデバイスをインストールする操作を簡素化するためのインテリジェントハードウェアデバイスのインストール実現方法、装置、プログラム及び記録媒体を提供する。
【課題を解決するための手段】
【０００４】
本開示の実施例の第１の局面によれば、ユーザが端末機器におけるインテリジェントハードウェアアプリケーションプログラムのユーザインターフェースにおいて第１の確認キーをクリックしたか否かをモニタリングするステップと、前記ユーザが第１の確認キーをクリックしたとモニタリングされたとき、前記第１の確認キーに関連するインテリジェントハードウェアデバイスのインストールプロンプトページを特定するステップと、前記インストールプロンプトページを前記インテリジェントハードウェアアプリケーションプログラムへ送信するステップと、を含む、サーバに用いられる、インテリジェントハードウェアデバイスのインストール実現方法を提供する。
【０００５】
一実施例において、前記第１の確認キーに関連するインテリジェントハードウェアデバイスのインストールプロンプトページを特定するステップは、前記第１の確認キーに関連するインテリジェントハードウェアデバイスの種別情報および型番情報を特定することと、前記種別情報および前記型番情報に基づいて、前記インテリジェントハードウェアデバイスのインストールプロンプトページを特定することと、を含んでもよい。
【０００６】
一実施例において、前記方法は、前記ユーザが前記ユーザインターフェースにおいて第２の確認キーをクリックしたか否かをモニタリングするステップと、前記ユーザが前記第２の確認キーをクリックしたとモニタリングされたとき、前記第２の確認キーに関連するインテリジェントハードウェアデバイスをインストールするための通知メッセージを前記インテリジェントハードウェアアプリケーションプログラムへ送信することにより、前記ユーザが前記通知メッセージに基づいて前記第１の確認キーをクリックするステップと、をさらに含んでも良い。
【０００７】
一実施例において、前記方法は、インテリジェントハードウェアデバイスの種別情報または型番情報の更新があるか否かを特定するステップと、前記インテリジェントハードウェアデバイスの種別情報または型番情報の更新があると特定されれば、前記種別情報または型番情報の更新があるインテリジェントハードウェアデバイスのインストールプロンプトページを更新するステップと、をさらに含んでも良い。
【０００８】
本開示の実施例の第２の局面によれば、ユーザが端末機器におけるインテリジェントハードウェアアプリケーションプログラムのユーザインターフェースにおいて第１の確認キーをクリックしたか否かをモニタリングするように配置された第１のモニタリングモジュールと、前記ユーザが前記第１の確認キーをクリックしたと前記第１のモニタリングモジュールによりモニタリングされたとき、前記第１の確認キーに関連するインテリジェントハードウェアデバイスのインストールプロンプトページを特定するように配置された第１の特定モジュールと、第１の特定モジュールにより特定された前記インストールプロンプトページを前記インテリジェントハードウェアアプリケーションプログラムへ送信するように配置された第１の送信モジュールと、を備える、サーバに用いられる、インテリジェントハードウェアデバイスのインストール実現装置を提供する。
【０００９】
一実施例において、前記第１の特定モジュールは、前記第１のモニタリングモジュールによりモニタリングされた前記第１の確認キーに関連するインテリジェントハードウェアデバイスの種別情報および型番情報を特定するように配置された第１の特定サブモジュールと、第１の特定サブモジュールにより特定された前記種別情報および前記型番情報に基づいて、前記インテリジェントハードウェアデバイスのインストールプロンプトページを特定するように配置された第２の特定サブモジュールとを備えても良い。
【００１０】
一実施例において、前記装置は、前記ユーザが前記ユーザインターフェースにおいて第２の確認キーをクリックしたか否かをモニタリングするように配置された第２のモニタリングモジュールと、前記ユーザが前記第２の確認キーをクリックしたと前記第２のモニタリングモジュールによりモニタリングされたとき、前記第２の確認キーに関連するインテリジェントハードウェアデバイスをインストールするための通知メッセージを前記インテリジェントハードウェアアプリケーションプログラムへ送信することにより、前記ユーザが前記通知メッセージに基づいて前記第１の確認キーをクリックするように配置された第２の送信モジュールと、をさらに備えても良い。
【００１１】
一実施例において、前記装置は、インテリジェントハードウェアデバイスの種別情報または型番情報の更新があるか否かを特定するように配置された第２の特定モジュールと、前記インテリジェントハードウェアデバイスの種別情報または型番情報の更新があると前記第２の特定モジュールにより特定されたとき、前記種別情報または型番情報の更新があるインテリジェントハードウェアデバイスのインストールプロンプトページを更新するように配置された更新モジュールと、をさらに備えても良い。
【００１２】
本開示の実施例の第３の局面によれば、プロセッサと、プロセッサが実行可能な指令を記憶するためのメモリとを備える装置であって、前記プロセッサは、ユーザが端末機器におけるインテリジェントハードウェアアプリケーションプログラムのユーザインターフェースにおいて第１の確認キーをクリックしたか否かをモニタリングし、前記ユーザが第１の確認キーをクリックしたとモニタリングされたとき、前記第１の確認キーに関連するインテリジェントハードウェアデバイスのインストールプロンプトページを特定し、前記インストールプロンプトページを前記インテリジェントハードウェアアプリケーションプログラムへ送信するように配置された、インテリジェントハードウェアデバイスのインストール実現装置を提供する。
本開示の実施例の第４の局面によれば、プロセッサに実行されることにより、本開示の実施例の第１の局面に記載の方法を実現するプログラムを提供する。
本開示の実施例の第５の局面によれば、本開示の実施例の第４の局面に記載のプログラムが記録された記録媒体を提供する。
【発明の効果】
【００１３】
本開示の実施例で提供される技術案は、下記の格別な効果を含むことができる。ユーザが第１の確認キーをクリックしたとモニタリングされたとき、第１の確認キーに関連するインテリジェントハードウェアデバイスのインストールプロンプトページを特定することで、ユーザがインストールプロンプトページに従ってインテリジェントハードウェアデバイスをインストールすることができ、紙の製品説明書を閲読することが回避されたため、インテリジェントハードウェアデバイスのインストール手順を簡素化し、ユーザによるインテリジェントハードウェアデバイスのインストール時の体験を向上させる。
【００１４】
上述の一般的な記述及び後述の具体的な記述は、単に例示的及び解釈的なものであり、本発明を制限することができないと理解されるべきである。
【図面の簡単な説明】
【００１５】
ここでの図面は、明細書と合わせて本明細書の一部を構成し、本発明に適する実施例を示し、かつ、明細書と一緒に本発明の仕組みを解釈するために用いられる。
【図１Ａ】実施例に示すインテリジェントハードウェアデバイスのインストール実現方法によるフローチャートである。
【図１Ｂ】実施例に示すインテリジェントハードウェアアプリケーションプログラムにおけるユーザインターフェースによる模式図である。
【図２Ａ】実施例一に示すインテリジェントハードウェアデバイスのインストール実現方法によるフローチャートである。
【図２Ｂ】実施例一に示すインテリジェントハードウェアアプリケーションプログラムにおけるユーザインターフェースによる模式図である。
【図２Ｃ】実施例一に示すインストールプロンプトページを特定するフローチャートである。
【図３】実施例二に示すインテリジェントハードウェアデバイスのインストール実現方法によるフローチャートである。
【図４】実施例に示すインテリジェントハードウェアデバイスのインストール実現装置のブロック図である。
【図５】実施例に示す別のインテリジェントハードウェアデバイスのインストール実現装置のブロック図である。
【図６】実施例に示すインテリジェントハードウェアデバイスに適用されるインストール実現装置のブロック図である。
【発明を実施するための形態】
【００１６】
次に、実施例を詳細に説明し、例示が図に示されている。以下の記述が図に係る場合、別途にて示さない限り、異なる図面における同じ数字は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置及び方法の例に過ぎない。
【００１７】
本開示の実施例に記載のインテリジェントハードウェアデバイスは、無線または無線方式の通信インタフェースを介して端末機器との通信を実現することができる。インテリジェントハードウェアデバイスは、例えば、インテリジェントコンセント、インテリジェントカメラ、インテリジェントライト、インテリジェント空気清浄器、インテリジェント照明、インテリジェントコーヒー炉、コンピュータ機器、セキュリティーシステム、ビデオ及び音響システム、インテリジェント給湯器、インテリジェントエアコンなどであってもよい。
【００１８】
ユーザは、端末機器においてインテリジェントハードウェアアプリケーションプログラムを運行することができ、当該インテリジェントハードウェアアプリケーションプログラムには、ユーザがインテリジェントハードウェアデバイスに対してルックアップ、管理、制御などの操作を行うユーザインターフェースが含まれる。オプションとして、インテリジェントハードウェアアプリケーションプログラムには、ユーザがインテリジェントハードウェアデバイスを閲覧、お気にいり、または購買する購買インターフェースが含まれても良い。オプションとして、ユーザがインテリジェントハードウェアデバイスに対してルックアップ、管理、制御などの操作を行うユーザインターフェースには、インテリジェントハードウェアデバイスリストが含まれてもよい。インテリジェントハードウェアデバイスリストは、ユーザが操作可能な、または、ユーザが所有するインテリジェントハードウェアデバイスの情報を記録する。例えば、若しユーザが一台のインテリジェント空気清浄器を管理し、または、ユーザが一台のインテリジェント空気清浄器を所有すれば、当該インテリジェント空気清浄機器は、インテリジェントハードウェアデバイスリストに出現することができる。また、インテリジェントハードウェアデバイスリストには、ユーザ現在のインテリジェントハードウェアデバイスの運行状態をさらに表示することができる。
【００１９】
図１Ａは、実施例に示すインテリジェントハードウェアデバイスのインストール実現方法によるフローチャートであり、当該インテリジェントハードウェアデバイスのインストール実現方法は、サーバに用いられることができ、図１Ａに示すように、当該インテリジェントハードウェアデバイスのインストール実現方法は、以下のステップＳ１０１〜Ｓ１０３を含む。
【００２０】
ステップＳ１０１では、ユーザが端末機器のインテリジェントハードウェアアプリケーションプログラムのユーザインターフェースを介して第１の確認キーをクリックしたか否かをモニタリングする。
【００２１】
一実施例においては、図１Ｂを参照すると、ユーザがインテリジェントハードウェアアプリケーションプログラム１０の購買インターフェースを介してインテリジェントハードウェアデバイス（例えば、小蟻カメラ）を成功に購買したとき、ユーザはインテリジェントハードウェアアプリケーションプログラムのインテリジェントハードウェアデバイスリスト１１において「接続開始」の第１の確認キー１２をクリックすることができる。
【００２２】
ステップＳ１０２では、ユーザが第１の確認キーをクリックしたとモニタリングされたとき、第１の確認キーに関連するインテリジェントハードウェアデバイスのインストールプロンプトページを特定する。
【００２３】
一実施例においては、ユーザがインテリジェントハードウェアアプリケーションプログラム１０の購買インターフェースを介して異なる種別及び同一種別の中の異なる型番のインテリジェントハードウェアデバイスを購買することができるし、異なる種別及び異なる型番のインテリジェントハードウェアデバイスのインストールプログラムも異なるため、ユーザにより第１の確認キー１２を介して確認されたインテリジェントハードウェアデバイスのインストールプロンプトページを特定する必要があり、これによって、インストールプロンプトページを、ユーザのインストール必要なインテリジェントハードウェアデバイスと合致することができる。一実施例においては、サーバは、ユーザの身分識別（ＩＤ）により、インテリジェントハードウェアアプリケーションプログラム１０におけるインテリジェントハードウェアデバイスリスト１１に表示されたインテリジェントハードウェアデバイスを特定し、かつ、インテリジェントハードウェアデバイスリスト１１における各インテリジェントハードウェアデバイスをモニタすることができ、及び、インストール必要なインテリジェントハードウェアデバイスの種別及び型番情報を特定することができるが、別の実施例においては、サーバは、さらに、第１の確認キー１２が有するインテリジェントハードウェアデバイスの種別及び型番などの情報により、インストール必要なインテリジェントハードウェアデバイスの種別及び型番情報を特定することができる。
【００２４】
ステップＳ１０３では、インストールプロンプトページをインテリジェントハードウェアアプリケーションプログラムへ送信する。
【００２５】
一実施例においては、例えば、ユーザが第１の確認キー１２をクリックしたとき、第１の確認キー１２が「小蟻カメラ」に関連するため、サーバは第１の確認キー１２をモニタリングしたとき、「小蟻カメラ」のインストールプロンプトページをインテリジェントハードウェアアプリケーションプログラムに送信する必要があり、インテリジェントハードウェアアプリケーションプログラム１０はインストールプロンプトページを表示し、サーバは、さらに、ユーザが「小蟻カメラ」をインストールするプロセスに従って、インストールプロンプトページの表示進度を制御することができる。
【００２６】
本実施例においては、第１の確認キーをモニタリングしたとき、第１の確認キーに関連するインテリジェントハードウェアデバイスのインストールプロンプトページを特定し、これによって、ユーザがインストールプロンプトページに従ってインテリジェントハードウェアデバイスをインストールすることができ、紙の製品説明書を閲読することが回避されるため、インテリジェントハードウェアデバイスのインストール手順を簡素化し、ユーザによるインテリジェントハードウェアデバイスのインストール時の体験を向上させる。
【００２７】
一実施例においては、ステップＳ１０２は、第１の確認キーに関連するインテリジェントハードウェアデバイスの種別情報および型番情報を特定することと、種別情報および型番情報に基づいて、インテリジェントハードウェアデバイスのインストールプロンプトページを特定することと、を含んでも良い。
【００２８】
一実施例においては、インテリジェントハードウェアデバイスのインストール実現方法は、ユーザがユーザインターフェースにおいて第２の確認キーをクリックしたか否かをモニタリングすることと、ユーザが第２の確認キーをクリックしたとモニタリングされたとき、前記第２の確認キーに関連するインテリジェントハードウェアデバイスをインストールするための通知メッセージをインテリジェントハードウェアアプリケーションプログラムへ送信することにより、ユーザが通知メッセージに基づいて第１の確認キーをクリックすることと、をさらに含んでも良い。
【００２９】
一実施例においては、インテリジェントハードウェアデバイスのインストール実現方法は、インテリジェントハードウェアデバイスの種別情報または型番情報の更新があるか否かを特定することと、インテリジェントハードウェアデバイスの種別情報または型番情報の更新があると特定されれば、種別情報または型番情報の更新があるインテリジェントハードウェアデバイスのインストールプロンプトページを更新することと、をさらに含んでも良い。
【００３０】
具体的に如何にインテリジェントハードウェアデバイスをインストールプロンプトするかについては、後続の実施例を参照してください。
【００３１】
これまでのところ、本開示の実施例で提供される前記方法は、ユーザがインストールプロンプトページに従ってインテリジェントハードウェアデバイスをインストールすることができ、紙の製品説明書を閲読することが回避されたため、インテリジェントハードウェアデバイスのインストール手順を簡素化し、ユーザがインテリジェントハードウェアデバイスをインストールする時の体験を向上させる。
【００３２】
以下、具体的な実施例により、本開示の実施例で提供される技術案を説明する。
【００３３】
図２Ａは、一例示的実施例一に示すインテリジェントハードウェアデバイスのインストール実現方法によるフローチャートである。本実施例は本開示の実施例で提供される前記方法により、図１Ｂ及び図２Ｂを組み合わせて、ユーザがインテリジェントハードウェアアプリケーションプログラムの購買ページを介してインテリジェントハードウェアデバイスを購買した後で、インテリジェントハードウェアデバイスをインストールする必要がことを例として例示的説明を行っており、図２Ａに示すように、下記のステップを含む。
【００３４】
ステップＳ２０１では、ユーザが端末機器におけるインテリジェントハードウェアアプリケーションプログラムのユーザインターフェースにおいて第２の確認キーをクリックしたか否かをモニタリングする。
【００３５】
一実施例においては、図２Ｂを参照すると、ユーザがインテリジェントハードウェアアプリケーションプログラム１０の購買インターフェースを介して「小蟻カメラ」を購買した後、ユーザがそれを受領してから第２の確認キー２１をクリックし、その後、受領確認を行う。
【００３６】
ステップＳ２０２では、第２の確認キーをモニタリングしたとき、第２の確認キーに関連するインテリジェントハードウェアデバイスをインストールするための通知メッセージをインテリジェントハードウェアアプリケーションプログラムへ送信する。
【００３７】
一実施例においては、図１Ｂを参照すると、ユーザが第２の確認キー２１をクリックした後、サーバがインテリジェントハードウェアアプリケーションプログラム１０に対して送信した通知メッセージは、第１の確認キー１２に表示することができ、例えば、第１の確認キー１２には「接続開始」が表示されて、ユーザがインテリジェントハードウェアデバイスをインストールかつ使用することができるようにプロンプトする。
【００３８】
ステップＳ２０３では、ユーザが当該通知メッセージに基づいて端末機器におけるインテリジェントハードウェアアプリケーションプログラムのユーザインターフェースにおいて第１の確認キーをクリックしたか否かをモニタリングする。
【００３９】
ステップＳ２０４では、ユーザが第１の確認キーをクリックしたとモニタリングされたとき、第１の確認キーに関連するインテリジェントハードウェアデバイスのインストールプロンプトページを特定する。
【００４０】
ステップＳ２０５では、インテリジェントハードウェアアプリケーションプログラムに対してインストールプロンプトページを送信する。
【００４１】
ステップＳ２０３乃至ステップＳ２０５の記述は、前記ステップＳ１０１乃至ステップＳ１０３の記述を参照することができ、ここでは再び述べない。
【００４２】
本実施例においては、ユーザが第２の確認キーをクリックしたとモニタリングされたとき、インテリジェントハードウェアアプリケーションプログラムに対して通知メッセージを送信し、これによって、ユーザが当該インテリジェントハードウェアデバイスをインストールできることを知ることができ、ユーザが第１の確認キーをクリックしたとモニタリングされたとき、第１の確認キーに関連するインテリジェントハードウェアデバイスのインストールプロンプトページを特定し、これによって、ユーザがインストールプロンプトページに従ってインテリジェントハードウェアデバイスをインストールすることができ、紙の製品説明書を閲読することが回避されたため、インテリジェントハードウェアデバイスのインストール手順を簡素化し、ユーザによるインテリジェントハードウェアデバイスのインストール時の体験を向上させる。
【００４３】
図２Ｃは、一例示的実施例に示すインストールプロンプトページを特定するフローチャートであり、図２Ｃに示すように、前記ステップ２０４は、下記のステップによってインストールプロンプトページを特定することができる。
【００４４】
ステップＳ２１１では、第１の確認キーに関連するインテリジェントハードウェアデバイスの種別情報および型番情報を特定する。
【００４５】
ステップＳ２１２では、種別情報および型番情報に基づいてインテリジェントハードウェアデバイスのインストールプロンプトページを特定する。
【００４６】
インテリジェントハードウェアアプリケーションプログラムの購買インターフェースは、ユーザに対して異なる種別及び同一種別の異なる型番のインテリジェント・ハードウェア商品を提供できるため、ユーザはそのうちの１つのインテリジェントハードウェア商品を購買した後、当該インテリジェントハードウェアデバイスをインストールする必要があるとき、第１の確認キーに関連するインテリジェントハードウェアデバイスの種別情報および型番情報を取得する必要がある。例えば、ユーザが「小蟻カメラ」を購買しており、ユーザが第１の確認キーをクリックしたとき、サーバは「小蟻カメラ」とマッチするインストールプロンプトページを特定する必要があり、すなわち、サーバは、インストール必要なインテリジェントハードウェアデバイスがインテリジェントカメラであることを特定する必要があり、かつ、当該インテリジェントカメラがどの型番のインテリジェントカメラであるかを特定する必要があり、これによって、ユーザが当該インテリジェントカメラのインストールプロンプトページに従ってインテリジェントカメラのインストール手順を完成することができる。
【００４７】
本実施例においては、インテリジェントハードウェアデバイスとマッチするインストールプロンプトページを特定することにより、ユーザがインテリジェントハードウェアデバイスを順調にインストールすることができ、ユーザが無味乾燥な紙の明細書の閲読手順を回避し、インテリジェントハードウェアデバイスのインストールプロセスを簡素化し、ユーザがインテリジェントハードウェアデバイスをインストールする体験を向上させる。
【００４８】
図３は、一例示的実施例に示すインテリジェントハードウェアデバイスのインストール実現方法によるフローチャートである。本実施例は本開示の実施例で提供される前記方法により、如何にインストールプロンプトページを更新するかを例として例示的説明を行っており、図３に示すように、下記のステップを含む。
【００４９】
ステップＳ３０１では、インテリジェントハードウェアデバイスの種別情報または型番情報の更新があるか否かを特定する。
【００５０】
ステップＳ３０２では、インテリジェントハードウェアデバイスの種別情報または型番情報の更新があると特定されたとき、種別情報または型番情報の更新があるインテリジェントハードウェアデバイスのインストールプロンプトページを更新する。
【００５１】
一実施例においては、インテリジェントハードウェアアプリケーションプログラムの購買ページがユーザに対して提供するインテリジェントハードウェア商品の種別の増加及び型番の継続な更新により、インテリジェントハードウェアデバイスが新しいインテリジェントハードウェアデバイスを有する場合、種別または型番に基づいてインストールプロンプトページを更新する必要があり、これによって、ユーザは最新のインテリジェントハードウェアデバイスを購買したとき、依然としてインストールプロンプトページによりインテリジェントハードウェアデバイスのインストール手順を完成することができ、ユーザが紙の製品説明書を閲読することが回避され、ユーザがインテリジェントハードウェアデバイスをインストールする体験を大幅に向上させる。
【００５２】
図４は、一例示的実施例に示すインテリジェントハードウェアデバイスのインストール実現装置のブロック図であり、サーバに用いられることができる。図４に示すように、インテリジェントハードウェアデバイスのインストール実現装置は、ユーザが端末機器におけるインテリジェントハードウェアアプリケーションプログラムのユーザインターフェースを介して第１の確認キーをクリックしたか否かをモニタリングするように配置された第１のモニタリングモジュール４１と、ユーザが第１の確認キーをクリックしたと第１のモニタリングモジュール４１によりモニタリングされたとき、第１の確認キーに関連するインテリジェントハードウェアデバイスのインストールプロンプトページを特定するように配置された第１の特定モジュール４２と、第１の特定モジュール４２により特定されたインストールプロンプトページをインテリジェントハードウェアアプリケーションプログラムへ送信するように配置された第１の送信モジュール４３と、を備える。
【００５３】
図５を参照すると、第１の特定モジュール４２は、第１のモニタリングモジュール４１によりモニタリングされた第１の確認キーに関連するインテリジェントハードウェアデバイスの種別情報および型番情報を特定するように配置された第１の特定サブモジュール４２１と、第１の特定サブモジュール４２１により特定された種別情報および型番情報に基づいて、インテリジェントハードウェアデバイスのインストールプロンプトページを特定する第２の特定サブモジュール４２２と、を備えてもよい。
【００５４】
一実施例においては、装置は、ユーザがユーザインターフェースにおいて第２の確認キーをクリックしたか否かをモニタリングするように配置された第２のモニタリングモジュール４４と、ユーザが第２の確認キーをクリックしたと第２のモニタリングモジュール４４によりモニタリングされたとき、第２の確認キーに関連するインテリジェントハードウェアデバイスをインストールするための通知メッセージをインテリジェントハードウェアアプリケーションプログラムへ送信することにより、ユーザが通知メッセージに基づいて第１の確認キーをクリックすることで、第1のモニタリングモジュール４１が第1の確認キーをモニタリングするように配置された第２の送信モジュール４５と、をさらに備えても良い。
【００５５】
一実施例においては、装置は、インテリジェントハードウェアデバイスの種別情報または型番情報の更新があるか否かを特定するように配置された第２の特定モジュール４６と、インテリジェントハードウェアデバイスの種別情報または型番情報の更新があると第２の特定モジュール４６により特定されたとき、種別情報または型番情報の更新があるインテリジェントハードウェアデバイスのインストールプロンプトページを更新するように配置された更新モジュール４７と、をさらに備えても良く、これによって、第１の特定モジュール４２は、第１のモニタリングモジュール４１によりモニタリングされた第１の確認キーに関連するインテリジェントハードウェアデバイスのインストールプロンプトページを特定する。
【００５６】
前記実施例における装置について、その中の各モジュールが操作を実行する具体的な形態は、当該方法に関する実施例において詳細に記述されており、ここでは、詳細に説明しない。
【００５７】
図６は、実施例に示すインテリジェントハードウェアデバイスに適用されるインストール実現装置のブロック図である。例えば、装置６００は、サーバとして提供されてもよい。図６を参照すると、装置６００は、１つまたは複数のプロセッサを含む処理ユニット６２２と、処理ユニット６２２の実行可能な指令、例えば、アプリケーションプログラムを記憶するための、メモリ６３２に代表されるメモリリソースとを備える。メモリ６３２に記憶されたアプリケーションは、１つまたは１つ以上のそれぞれが１組の指令に対応するモジュールを含んでも良い。また、処理ユニット６２２は、上記インテリジェントハードウェアデバイスのインストール実現方法を実行するように、指令を実行するように配置される。
【００５８】
装置６００は、装置６００の電源管理を実行するように配置された電源ユニット６２６と、装置６００をネットワークに接続する１つの有線または無線ネットワークインターフェース６５０と、１つの出入力（Ｉ/Ｏ）インターフェース６５８と、をさらに含んでも良い。装置６００は、メモリ６３２に記憶されているオペレーティングシステム、例えば、Windows（登録商標） Server TM，Mac OS X TM，Unix（登録商標） TM, Linux（登録商標） TM，FreeBSD TMまたは類似するものに基づいて操作することができる。
【００５９】
当業者は明細書を考慮し、ここに開示された開示を実践した後、本開示の他の実施案を容易に想到する。本願は、本開示の如何なる変形、用途または適応的変化をカバーすることを趣旨とし、これら変形、用途または適応的変化は、本開示の一般的な仕組みに従い、かつ、本開示に開示されていない当分野における公知常識または慣用技術手段を含む。明細書及び実施例は単なる例示的ものと見なされており、本開示の本当の範囲及び思想は添付の特許請求の範囲によって与えられている。
【００６０】
本開示は、上述に記述されて図面に示されている精確な構造に限定されるものでなく、本発明の要旨を逸脱しない範囲で、各種の補正や変更が可能である。本開示の範囲は、添付の特許請求の範囲のみによって限定される。
【００６１】
本発明は、出願番号が２０１４１０８３５７４５.Ｘ、出願日が２０１４年１２月２６日である中国特許出願を基に提出するものであり、当該中国特許出願の優先権を主張し、当該中国特許出願の全ての内容は、参照のため本願に援用される。
【国際調査報告】
2017504140.tif 000012
2017504140.tif 000013
2017504140.tif 000014
2017504140.tif 000015